(57)【要約】【課題】涙目を容易に表現することができる人形用眼球ユニットを提供する。【解決手段】人形用眼球ユニット１０は、弾性体を立設支持する支持台１４と、弾性体と接続し、球状面と、該球状面と対向する反射面を有して透光可能に形成されるアイ部材２５と、を有する。人形用眼球２０は、アイ部材２５、球状カバー２１、コイルバネ２９により形成される。アイ部材２５は、半球部材２６と反射部材２７とにより、球状面２６ａと対向する反射面２７ａ１を有して透光可能に形成される。【選択図】    図３
2019208872.tif 000002
【特許請求の範囲】
【請求項１】
弾性体を立設支持する支持台と、
前記弾性体と接続し、球状面と、該球状面と対向する反射面を有して透光可能に形成されるアイ部材と、
を有することを特徴とする人形用眼球ユニット。
【請求項２】
前記アイ部材は、前記球状面を備える半球状の半球部材と、前記反射面が形成されて前記半球部材の平坦面と前記反射面とが接続する反射部材と、を有することを特徴とする請求項１に記載の人形用眼球ユニット。
【請求項３】
前記アイ部材は、前記球状面と所定間隔の隙間を介して配置される透光性を有する球状カバーで覆われることを特徴とする請求項１又は請求項２に記載の人形用眼球ユニット。
【請求項４】
前記支持台の２点の軸支持部に回動自在に設けられて前記球状カバーよりも径大に形成される瞼部と、前記瞼部の反対側に向けて前記軸支持部に指示される軸部の一から延設して前端部に錘部材を備える搖動部と、を有する瞼開閉機構と、
を有することを特徴とする請求項３に記載の人形用眼球ユニット。
【請求項５】
前記反射面には、図柄が施されていることを特徴とする請求項１乃至請求項４の何れか記載の人形用眼球ユニット。
【発明の詳細な説明】
【技術分野】
【０００１】
本発明は、人形用眼球を備える人形用眼球ユニットに関する。
【背景技術】
【０００２】
従来から、主にぬいぐるみ等の人形玩具に用いられる眼球として、涙目状や輝きを持たせて使用者が一層楽しめる人形用眼球が提供されている。例えば、特許文献１では、断面形状を半月状として中空に形成され、内部に液体と共に眼球部材を封入した人形用眼球が開示される。
【先行技術文献】
【特許文献】
【０００３】
【特許文献１】特開平１１−４９７１号公報
【発明の概要】
【発明が解決しようとする課題】
【０００４】
特許文献１に開示される人形用眼球では、人形自体や人形の顔部を動かすことにより液体中を眼球部材が移動するものであり、特に子供や女性が喜ぶ涙目を表現することが難しい。
【０００５】
本発明は、涙目を容易に表現することができる人形用眼球ユニットを提供することを目的とする。
【課題を解決するための手段】
【０００６】
本発明に係る人形用眼球ユニットは、弾性体を立設支持する支持台と、前記弾性体と接続し、球状面と、該球状面と対向する反射面を有して透光可能に形成されるアイ部材と、を有する。
【発明の効果】
【０００７】
本発明によれば、涙目を容易に表現することができる人形用眼球ユニットを提供することができる。
【図面の簡単な説明】
【０００８】
【図１】本発明の実施形態に係る人形用眼球ユニットを犬型玩具に用いた例を示す斜視図である。
【図２】本発明の実施形態に係る人形用眼球ユニットを示す斜視図である。
【図３】本発明の実施形態に係る人形用眼球ユニットの上ケースを省略した状態の斜視図である。
【図４】本発明の実施形態に係る人形用眼球ユニットの上ケースを省略した分解斜視図である。
【図５】本発明の実施形態に係る人形用眼球ユニットの図２のＶ−Ｖ断面に相当する要部断面図である。
【図６】本発明の実施形態に係る瞼開閉機構の動作を示す図２のＶＩ−ＶＩ断面に相当する要部断面図であり、（ａ）は瞼を開いた状態を示し、（ｂ）は瞼を閉じた状態を示す。
【発明を実施するための形態】
【０００９】
次に、図を用いて本発明の実施形態を説明する。図１は人形用眼球ユニット１０を備える犬型のぬいぐるみである人形１である。このように、人形用眼球ユニット１０は、人形１の顔部２に取付けることができる。
【００１０】
図２は、人形用眼球ユニット１０の斜視図である。人形用眼球ユニット１０は、上ケース１１と下ケース１２が組み合わされてケース１３内に人形用眼球２０及び瞼開閉機構３０が保持される。上ケース１１は、上面に人形用眼球２０や瞼開閉機構３０の瞼部３１（後述）が露出するよう略円形の２つの開口部１１ａが形成される。上ケース１１は、上面から下方に延びる外周壁１１ｂが形成されて、この外周壁１１ｂに、平板状に形成される下ケース１２が組み付けられる。なお、人形用眼球ユニット１０は、両目について対称構造とされる２つの人形用眼球２０と瞼開閉機構３０及び後述の支持台１４を備えるが、以下の説明においては、片側の人形用眼球２０と瞼開閉機構３０及び支持台１４について図示して説明する。
【００１１】
図３、図４に示すように、下ケース１２の内面には、左右両側及び中央の３つの支持リブ１２ａを介して支持台１４が設けられる。支持台１４は、両眼用に左右対称に形成される。支持台１４は、一方側から他方側に延設される板状の横板部１４ａと、左右の眼部を仕切る仕切り板１４ｂが形成される。仕切り板１４ｂの上端には切欠き凹状に形成される軸受部１４ｂ１が形成される。横板部１４ａ上の中央には、コイルバネ２９の一端（下端）が挿入される円筒状の支持孔部１４ｃが形成される。支持孔部１４ｃから中央側（眉間側）の仕切り板１４ｂに掛けては、上ケース１１側を凹円弧状に形成されるリブ状の縦板１４ｄが形成される。支持孔部１４ｃから左右側（こめかみ側）の外方向に向けて、内側に凹円弧状に形成される湾曲外板１４ｅが形成される。湾曲外板１４ｅの端部近傍には、孔状の軸受孔１４ｅ１が形成される。
【００１２】
支持孔部１４ｃに挿入される弾性部材としてのコイルバネ２９の上端は、アイ部材２５が接続される。アイ部材２５は、中実半球状の半球部材２６と、円板状の反射部材２７を備える。半球部材２６は、透光性を有する樹脂材料により形成される。半球部材２６は、上ケース１１の開口部１１ａ側の球状面２６ａ（図１も参照）と、球状面２６ａと対向する平坦面２６ｂを備える。平坦面２６ｂは、半球部材２６の下面に凹状に形成されて、平坦面２６ｂの外周は環状リブ２６ｂ１が形成される。
【００１３】
反射部材２７は、略円板状の円板部２７ａと、円板部２７ａの下面側の中央に略円筒状に形成される支持筒部２７ｂが形成される。円板部２７ａの直径は、半球部材２６の環状リブ２６ｂ１の内周面と略同一に形成され、円板部２７ａは半球部材２６の環状リブ２６ｂ１内の凹部に挿入可能して接合可能に形成される。半球部材２６の平坦面２６ｂと対向する円板部２７ａの面は反射面２７ａ１とされ、アルミ等の蒸着処理やメッキ処理、または反射シールの貼着等が施される。円板部２７ａにおける支持筒部２７ｂに対応する中央部には、凹状の丸孔２７ａ２が形成される。支持筒部２７ｂには、コイルバネ２９の上端が挿入されて固定される。
【００１４】
アイ部材２５は、半球部材２６に挿入される反射部材２７がコイルバネ２９により弾性支持される。コイルバネ２９の弾性係数は、ケース１３の微動に応じてアイ部材２５が揺れ動く程度に設定される。そして、アイ部材２５は、球状面２６ａと所定の間隔の隙間を介して配置される透光性を有する球状カバー２１が設けられる。球状カバー２１は、略半球状の中空状に形成されて、アイ部材２５の球状面２６ａを覆うように形成される。球状カバー２１の開口する縁部には、丸孔が開けられる突出部２１ａが２箇所に形成されて、上ケース１１にねじ止めされ固定される（図示せず）。
【００１５】
このようにして、人形用眼球２０は、アイ部材２５、球状カバー２１、コイルバネ２９により形成される。アイ部材２５は、半球部材２６と反射部材２７とにより、球状面２６ａと対向する反射面２７ａ１を有して中実かつ透光可能に形成される。
【００１６】
そして、人形用眼球ユニット１０には、瞼開閉機構３０が設けられる。瞼開閉機構３０は、球状カバー２１よりも径大に形成される瞼部３１を有する。瞼部３１は、球を放射状にカットしたようなくし切り形状とされる瞼部本体３１ａと、瞼部本体３１ａの両端に略円柱状に外方向に突出する回動軸である軸部３１ｂ１，３１ｂ２と、を有する。内側の軸部３１ｂ１は、支持台１４の仕切り板１４ｂの上端の軸受部１４ｂ１と、上ケース１１から下方に延びて切欠き穴部を備える板状体１１ｃ（図５参照）が軸受部１４ｂ１の仕切り板１４ｂに突き当てられて形成される孔部に挿入されて、回動自在に支持される。外側の軸部３１ｂ２は、一部が面削ぎされた円柱状に形成されて、支持台１４の湾曲外板１４ｅの軸受孔１４ｅ１に回動自在に挿入される。
【００１７】
瞼部３１の外側の軸部３１ｂ２には、搖動部３２が設けられる。搖動部３２は、軸部３１ｂ２から瞼部３１の反対側に向けて延設する搖動アーム３２ａを有する。搖動アーム３２ａの前端部には、円柱状の錘部材３２ａ１が設けられる。搖動アーム３２ａと軸部３１ｂ２の接合は、面削ぎされた円柱形状の軸部３１ｂ２と同形状の穴が搖動アーム３２ａの基部に形成されており、容易に搖動部３２（搖動アーム３２ａ）が軸部３１ｂ２（瞼部３１）に対して回転しないようになされている。また、瞼部３１の軸部３１ｂ１，３１ｂ２の軸心ＤＬは、ケース１３や人形用眼球２０の水平方向に対して、外側の軸部３１ｂ２が下側に位置するように傾斜している。
【００１８】
このように形成される人形用眼球ユニット１０は、人形用眼球２０によって、涙目を表現することができる。すなわち、アイ部材２５（半球部材２６）の球状面２６ａから入射する光は、中実のアイ部材２５（半球部材２６）のレンズ効果によりある程度集光されて反射面２７ａ１で反射される。反射面２７ａ１で反射された光は、中実のアイ部材２５（半球部材２６）及び球状面２６ａのレンズ効果により再度拡大して出射される。そして、アイ部材２５は、コイルバネ２９の支持により、ケース１３の微動で水平方向についての全方向に移動する。このとき、反射面２７ａ１で反射された光は拡大されているので、アイ部材２５の微動でも反射光が大きく揺らぐことになる。従って、アイ部材２５は、あたかも瞳が涙で潤んでいるかのごとく見せることができる。さらに球状カバー２１を介してアイ部材２５を見ることにより、固定カバーの奥側がゆらゆらと揺れるように見えるので、一層涙目を表現することとなる。
【００１９】
そして、図６（ａ），（ｂ）に示すように、瞼開閉機構３０により瞼部３１が人形用眼球ユニット１０及び人形用眼球ユニット１０が装着された人形の姿勢に関わらず搖動アーム３２ａ（錘部材３２ａ１）の位置が下方に位置するので、例えば人形１が起立した状態では瞼を開けているように動作し（図６（ａ））、人形が仰向けに寝ている状態では瞼を閉じているよう動作する（図６（ｂ））。ここで、瞼部３１の軸部３１ｂ１，３１ｂ２の軸心ＤＬが傾斜して配置されるので、犬のように目が左右外側に向けられて配置される人形１であっても違和感なく人形用眼球ユニット１０を配置して瞼開閉機構３０を動作させることができる。
【００２０】
また、アイ部材２５（半球部材２６）や球状カバー２１は、人形用眼球ユニット１０を装着する人形に合わせて、着色透明材料で形成することもできる。また、アイ部材２５は、本実施形態においては半球部材２６と反射部材２７で構成したが、例えば半球部材２６の平坦面に反射コーティングを施して反射面を形成したアイ部材２５とすることもできる。さらに、この反射面２７ａ１には、星や丸形状等の図柄を施すと、あたかも瞳の中がキラキラと輝いている様子を演出することもできる。
【００２１】
以上、本発明の実施形態を説明したが、本発明は本実施形態によって限定されることは無く、適宜変更して実施することができる。例えば、アイ部材２５は、中実の半球形状の部材の平坦面に、球面と対向する反射面をシール等により形成することもできる。また、アイ部材２５の半球部材２６は、中実の半球状に形成されることで好適に涙目を表現することができるが、これに限られず、略球状の曲面とされる球状面２６ａを備えて略半球状に形成されていれば涙目を表現することができる。例えば、半球部材２６は、中空（平坦面２６ｂに相当する底面を備えていても良く無くても良い）や液体封入等とすることもできる。また、反射面２７ａ１は、光が反射されるように形成されていればよく、アルミ等の銀色の他、金色や白色等の種々の着色処理により反射面２７ａ１を形成することもできる。
【符号の説明】
【００２２】
１        人形                      ２        顔部
１０      人形用眼球ユニット        １１      上ケース
１１ａ    開口部                    １１ｂ    外周壁
１１ｃ    板状体                    １２      下ケース
１２ａ    支持リブ                  １３      ケース
１４      支持台                    １４ａ    横板部
１４ｂ    仕切り板                  １４ｂ１  軸受部
１４ｃ    支持孔部                  １４ｄ    縦板
１４ｅ    湾曲外板                  １４ｅ１  軸受孔
２０      人形用眼球                ２１      球状カバー
２１ａ    突出部                    ２５      アイ部材
２６      半球部材                  ２６ａ    球状面
２６ｂ    平坦面                    ２６ｂ１  環状リブ
２７      反射部材                  ２７ａ    円板部
２７ａ１  反射面                    ２７ａ２  丸孔
２７ｂ    支持筒部                  ２９      コイルバネ
３０      瞼開閉機構                ３１      瞼部
３１ａ    瞼部本体                  ３１ｂ１  軸部
３１ｂ２  軸部                      ３２      搖動部
３２ａ    搖動アーム                ３２ａ１  錘部材
ＤＬ      軸心
【図１】
2019208872.tif 000003
【図２】
2019208872.tif 000004
【図３】
2019208872.tif 000005
【図４】
2019208872.tif 000006
【図５】
2019208872.tif 000007
【図６】
2019208872.tif 000008